(57)【特許請求の範囲】
【請求項１】
弦楽器に用いる器具のうち、弦の巻き取られる箇所となる糸巻き部（４）に設けるキャップ（１）であって、該キャップ（１）は、その内部に糸巻き部（４）を格納するための糸巻き部収納スペース（２ｃ）が設けられており、前記キャップは、内部カバー（２）と、該内部カバー（２）に嵌着し内部カバー（２）を保護するための外部カバー（３）を備え、弦の通り道（ＳＲ）となるスリット（ＳＬ）を内部カバー（２）と外部カバー（３）の両方に設けた２重構造を有しており、前記外部カバー（３）は上端部に天井板部（３ｔ）が外部カバーの外壁部分（３ｂ）と連接されて設けられており、前記内部カバー（２）と外部カバー（３）とを脱着自在とするための脱着手段（Ｊ）が設けられており、前記内部カバー（２）は、その外壁部分（２ｄ）と内壁部分（２ｅ）との間に、余った弦（Ｓ）を収納するためのスペース（２ｂ）を備えたことを特徴とする弦楽器の糸巻き部に装着するキャップ。
【請求項２】
前記内部カバー（２）の、外壁部分（２ｄ）とその内側に設けられた内壁部分（２ｅ）とが、内部カバーの天井板部（２ｔ）で連接されており、その内壁部分（２ｅ）の内側にヒダとなる凸条体（Ｕ）が設けられていることを特徴とする請求項１に記載の弦楽器の糸巻き部に装着するキャップ。
【請求項３】
前記内部カバー（２）の上部の直径（Ｌ１）と下部の直径（Ｌ３）の寸法に対して中部の直径（Ｌ２）の寸法を小さくして設けられていることを特徴とする請求項１に記載の弦楽器の糸巻き部に装着するキャップ。
【請求項４】
前記内部カバー（２）の内壁部分（２ｅ）と内部カバーの天井板部（２ｔ）で囲まれた空間に、糸巻き部（４）を格納するための糸巻き収納スペース（２ｃ）を設けたことを特徴とする請求項１に記載の弦楽器の糸巻き部に装着するキャップ。
【請求項５】
前記内部カバー（２）の外壁部分（２ｄ）および外部カバー（３）の外壁部分（３ｂ）に、脱着手段（Ｊ）を設けたことを特徴とする請求項１に記載の弦楽器の糸巻き部に装着するキャップ。
【請求項６】
前記脱着手段（Ｊ）が、内部カバー（２）と外部カバー（３）に設けられた一対の係止部（Ｋ）であることを特徴とする請求項５に記載の弦楽器の糸巻き部に装着するキャップ。
【請求項７】
前記一対の係止部（Ｋ）が、内部カバーの外壁部分（２ｄ）に設けられた溝部分（２ａ）と、外部カバー（３）に設けられた爪部分（３ａ）との組み合わせであることを特徴とする請求項６に記載の弦楽器の糸巻き部に装着するキャップ。
【請求項８】
前記一対の係止部（Ｋ）が、内部カバーの外壁部分（２ｄ）に設けられた溝部分（２ａ）と、外部カバー（３）に設けられた突出部分（３ｄ）との組み合わせであることを特徴とする請求項６に記載の弦楽器の糸巻き部に装着するキャップ。
【請求項９】
前記一対の係止部（Ｋ）が、内部カバーの外壁部分（２ｄ）に設けられた孔部分（２ｆ）と、外部カバー（３）に設けられた突出部分（３ｄ）との組み合わせであることを特徴とする請求項６に記載の弦楽器の糸巻き部に装着するキャップ。
【請求項１０】
前記脱着手段（Ｊ）が、外部カバー（３）の内壁部分（３Ｆ）と内部カバー（２）の外壁部分（２ｄ）との間に働く摩擦力（Ｍ）によるものであることを特徴とする請求項５に記載の弦楽器の糸巻き部に装着するキャップ。  
【請求項１１】
前記摩擦力（Ｍ）による脱着手段（Ｊ）が、外部カバー（３）と内部カバー（２）の少なくともいずれか一方に設けられたテーパー（ＴＰ）であることを特徴とする請求項１０に記載の弦楽器の糸巻き部に装着するキャップ。
【発明の詳細な説明】
【技術分野】
【０００１】
本発明は、弦楽器の糸巻き部分に装着するキャップに関する。
【背景技術】
【０００２】
従来、特にエレクトリックギターやフォークギターなどの、楽器本体から糸巻き部を抜ける余った弦の処理については、そのままにしておくか、ニッパーなどで短く切断するなどの手段があったが、特にスティール弦の使用時にあっては、無処理のままにしておくと、その先端が自身、または周囲の手や目を刺す等の危害を加える場合があり、保護ケースに収納の際には、特に、素材がやわらかい生地のものであれば、弦の先端部によって、生地を痛める場合があったり、ケースを貫通して外部に露出する場合があり、外部に露出するような場合にあっては、大変危険であった。また、糸巻き部分に巻き取られずに余った弦について、ニッパーなどで、弦の長さを短くする場合には、伸びていた弦が目を刺す等の危険性は低くなるが、切断した都合上、先端部については、さらに鋭利な形状となり、調弦の際に指を刺しやすくするだけでなく、保護ケースの構造によっては、特に内側の生地に対する損傷について、より顕著となる。
【０００３】
しかしながら、これまでは、それらを改善するためのアイデア、部品などについての対応がなく、例え保護ケースの損傷が著しくなったり、周囲を刺す等の可能性があったとしても、やむを得ないものとして、慢性的に常識となっており、改善の余地があった。通常、糸巻き部そのものの大きさや形状などの規格は、各楽器ごとに概ね同一であるが、糸巻き部をカバー等で覆うことを想定した場合、弦楽器の糸巻き部を有するヘッド部の形状は、製品によって様々であり、それによって糸巻き部の配置も異なるため、糸巻き部に合わせて密着するような個体であれば装着の実施は可能であるが、糸巻き部分や、弦を傷付けないためには、ゴムなどの柔軟性をもつ素材である必要があると考えられる。しかしながら、ゴムなどの柔軟性のある素材を１点のみ装着しての実施であれば、外部からのダメージを直接受けるため、劣化、破損のしやすくなるものと考えられ、より長く安全に使用するには、課題があった。
【０００４】
従来の弦楽器のヘッド部分の一例を、図１３に示す。図１３の（ａ）、（ｂ）は、糸巻き部を有する弦楽器の一例である。それぞれの例は、一般的に使用されているギターのヘッド部にて、異なるレイアウトで配置された糸巻き部、および糸巻き部から伸びる弦を示しているが、弦の先端部に対しての安全対策はとられていない。
【０００５】
弦楽器の糸巻き部に関する先行技術文献に於いては、弦楽器に装着する糸巻き部についての説明がある。弦楽器に装着する糸巻き部そのものの構造について言及されている。（特許文献１参照）弦楽器用調律器の構造について述べられた記載がある。（特許文献２参照）
【先行技術文献】
【特許文献】
【０００６】
【特許文献１】特開２００７−３２８２４５号公報
【特許文献２】実開平０７−０３６１９４号公報
【発明の概要】
【発明が解決しようとする課題】
【０００７】
上記特許文献１、および特許文献２は、どちらも弦楽器に装着する糸巻き部そのものについての説明があるが、糸巻き部から伸びる弦の先端部の安全性について述べられたものはなかった。そこで本願発明の目的は、上記特許文献１、および特許文献２に於いて言及されていない、糸巻き部から伸びる弦の先端部の安全性を向上させることを目的とする。
【課題を解決するための手段】
【０００８】
以上の課題を解決するために、第１発明は、弦楽器に用いる器具のうち、弦の巻き取られる箇所となる糸巻き部（４）に設けるキャップ（１）であって、該キャップ（１）は、その内部に糸巻き部（４）を格納するための糸巻き部収納スペース（２ｃ）が設けられており、前記キャップは、内部カバー（２）と、該内部カバー（２）に嵌着し内部カバー（２）を保護するための外部カバー（３）を備え、弦の通り道（ＳＲ）となるスリット（ＳＬ）を内部カバー（２）と外部カバー（３）の両方に設けた２重構造を有しており、前記外部カバー（３）は上端部に天井板部（３ｔ）が外部カバーの外壁部分（３ｂ）と連接されて設けられており、前記内部カバー（２）と外部カバー（３）とを脱着自在とするための脱着手段（Ｊ）が設けられており、前記内部カバー（２）は、その外壁部分（２ｄ）と内壁部分（２ｅ）との間に、余った弦（Ｓ）を収納するためのスペース（２ｂ）を備えたことを特徴とする弦楽器の糸巻き部に装着するキャップである。係る構成によれば、周囲への安全性を向上させる効果がある。
第２発明は、前記内部カバー（２）の、外壁部分（２ｄ）とその内側に設けられた内壁部分（２ｅ）とが、内部カバーの天井板部（２ｔ）で連接されており、その内壁部分（２ｅ）の内側にヒダとなる凸条体（Ｕ）が設けられていることを特徴とする請求項１に記載の弦楽器の糸巻き部に装着するキャップである。係る構成によれば、脱着容易かつ確実な係止の向上に効果がある。
第３発明は、前記内部カバー（２）の上部の直径（Ｌ１）と下部の直径（Ｌ３）の寸法に対して中部の直径（Ｌ２）の寸法を小さくして設けられていることを特徴とする請求項１に記載の弦楽器の糸巻き部に装着するキャップである。係る構成によれば、脱着容易かつ確実な係止の向上に効果がある。
第４発明は、前記内部カバー（２）の内壁部分（２ｅ）と内部カバーの天井板部（２ｔ）で囲まれた空間に、糸巻き部（４）を格納するための糸巻き収納スペース（２ｃ）を設けたことを特徴とする請求項１に記載の弦楽器の糸巻き部に装着するキャップである。係る構成によれば、脱着容易さの向上に効果がある。
第５発明は、前記内部カバー（２）の外壁部分（２ｄ）および外部カバー（３）の外壁部分（３ｂ）に、脱着手段（Ｊ）を設けたことを特徴とする請求項１に記載の弦楽器の糸巻き部に装着するキャップである。係る構成によれば、脱着容易かつ確実な係止の向上に効果がある。
第６発明は、前記脱着手段（Ｊ）が、内部カバー（２）と外部カバー（３）に設けられた一対の係止部（Ｋ）であることを特徴とする請求項５に記載の弦楽器の糸巻き部に装着するキャップである。係る構成によれば、脱着容易かつ確実な係止の向上に効果がある。
第７発明は、前記一対の係止部（Ｋ）が、内部カバーの外壁部分（２ｄ）に設けられた溝部分（２ａ）と、外部カバー（３）に設けられた爪部分（３ａ）との組み合わせであることを特徴とする請求項６に記載の弦楽器の糸巻き部に装着するキャップである。係る構成によれば、脱着容易かつ確実な係止の向上に効果がある。
第８発明は、前記一対の係止部（Ｋ）が、内部カバーの外壁部分（２ｄ）に設けられた溝部分（２ａ）と、外部カバー（３）に設けられた突出部分（３ｄ）との組み合わせであることを特徴とする請求項６に記載の弦楽器の糸巻き部に装着するキャップである。係る構成によれば、脱着容易かつ確実な係止の向上に効果がある。
第９発明は、前記一対の係止部（Ｋ）が、内部カバーの外壁部分（２ｄ）に設けられた孔部分（２ｆ）と、外部カバー（３）に設けられた突出部分（３ｄ）との組み合わせであることを特徴とする請求項６に記載の弦楽器の糸巻き部に装着するキャップである。係る構成によれば、脱着容易かつ確実な係止の向上に効果がある。
第１０発明は、前記脱着手段（Ｊ）が、外部カバー（３）の内壁部分（３Ｆ）と内部カバー（２）の外壁部分（２ｄ）との間に働く摩擦力（Ｍ）によるものであることを特徴とする請求項５に記載の弦楽器の糸巻き部に装着するキャップである。係る構成によれば、脱着容易かつ確実な係止の向上に効果がある。
第１１発明は、前記摩擦力（Ｍ）による脱着手段（Ｊ）が、外部カバー（３）と内部カバー（２）の少なくともいずれか一方に設けられたテーパー（ＴＰ）であることを特徴とする請求項１０に記載の弦楽器の糸巻き部に装着するキャップである。係る構成によれば、脱着容易かつ確実な係止の向上に効果がある。
【発明の効果】
【００２２】
第１発明によれば、安全性を向上し、弦の保護と糸巻き部４への密着度を向上、及び内部カバー２と外部カバー３との密着度が高くなり、抜けにくくなるという効果がある。
第２発明によれば、脱着容易かつ確実な係止の向上に効果がある。
第３発明によれば、脱着容易かつ確実な係止の向上に効果がある。
第４発明によれば、脱着容易かつ確実な係止の向上に効果がある。
第５発明によれば、脱着容易かつ確実な係止の向上に効果がある。
第６発明によれば、脱着容易かつ確実な係止の向上に効果がある。
第７発明によれば、脱着容易かつ確実な係止の向上に効果がある。
第８発明によれば、脱着容易かつ確実な係止の向上に効果がある。
第９発明によれば、脱着容易かつ確実な係止の向上に効果がある。
第１０発明によれば、脱着容易かつ確実な係止の向上に効果がある。
第１１発明によれば、脱着容易かつ確実な係止の向上に効果がある。
【００２３】
上記の効果をまとめると、本発明の効果は、本発明キャップ１の容易な脱着を可能とする形状でありながら、余った弦Ｓが演奏者や周囲にいる人に、危害を及ぼす事なく糸巻き部４を保護する目的を有し、その使用によって糸巻き部分の役割である調弦の維持に対して、主立った悪影響のない保護カバーを、提供することができる。
【００２４】
また、本発明によれば、糸巻き部４から伸びる余った弦Ｓに対する処理、無処理を問わず、保護ケースを痛めることがなく、自身を含む周囲への危険を大幅に軽減できる他、装着するキャップ１に対する色彩を工夫するなどによって、統一感や個性を演出するなどの効果に期待ができる。
【図面の簡単な説明】
【００２５】
【図１】図１は本発明の弦楽器の糸巻き部キャップを示す、全体図である。（ａ）は斜視図である。（ｂ）は、Ａ−Ａ´断面図である。（ｃ）は、底面図である。
【図２】図２は本発明の外側カバーの全体図である。（ａ）は斜視図である。（ｂ）は、Ｂ−Ｂ´断面図である。（ｃ）は、底面図である。
【図３】図３は本発明の内側カバー全体図である。（ａ）は斜視図である。（ｂ）は、Ｃ−Ｃ´断面図である。（ｃ）は、底面図である。
【図４】図４は本発明の内部カバーにおける外径寸法の大小を示した説明図である。
【図５】図５は本発明の内部カバーに外部カバーを嵌着させた状態を示す模式図である。
【図６】図６は本発明の内部構造の縦方向の断面を示し、力の流れを示す説明図である。
【図７】図７は本発明における弦楽器の全体を示す説明図である。
【図８】図８は本発明での使用図を示す。
【図９】図９は本発明の弦楽器のキャップの使用された状態での縦方向の断面図である。
【図１０】図１０は本発明の弦楽器のキャップの使用された状態と使用されて  いない状態での横方向の断面図である。（ａ）はキャップの装着された状態である。（ｂ）は、キャップを装着しない状態である。
【図１１】図１１は本発明の弦楽器の外部カバーの形態のバリエーションを示す斜視図である。
【図１２】図１２は、本発明の弦楽器の外部カバーのバリエーションを示し、スリットを通して弦を糸巻き部に巻きつけた状態の説明図である。（ａ）は外部カバーＡ型の例を示す。（ｂ）は外部カバーＢ型の例を示す。（ｃ）は外部カバーＣ型の例を示す。（ｄ）は外部カバーＤ型の例を示す。
【図１３】図１３は、従来の弦楽器の一例を示す。（ａ）は糸巻き部が一列に配置されたヘッド部の形状の一例である。（ｂ）は糸巻き部が２列に配置されたヘッド部の形状の一例である。
【発明を実施するための形態】
【００２６】
以下、実施例と図面により本発明を更に具体的に説明するが、本発明はこれらの実施例、図面により限定されるものではない。
【００２７】
図１〜図３で示すように、本願発明は、糸巻き部４に直接装着する内部カバー２と、その上を覆い込む外部カバー３による２重構造の保護キャップにより構成されるが、内部カバー２の材質については、内部に格納する弦Ｓ、そして糸巻き部４については、通常の使用時ではキャップ１が外れることのないよう、糸巻き部４と内部カバー２の間で、可能なだけの高い密着度を有し、かつ、糸巻き部４や、その周囲を痛めることのない程度の柔軟性が求められる。
【００２８】
内部カバー２が内設するヒダとなる凸条体Ｕの構造については、周方向に沿って延在する凸状の山部と凹状の谷部とが、軸方向に交互に連続して形成された凸凹形状や、らせん形状であるなどの他、凸条体Ｕとなる先端部の形状についても、様々なものが考えられると思われるが、いずれにしても、実施に際しては、その形状が、糸巻き部４に対して十分な密着度を持ち、かつ内部カバー２の脱着の容易な構造であれば好適であると思われる。
【００２９】
実際の使用時において、外部カバー３を紛失または破損などの、何らかの事情により、外部カバー３を装着せずに実施される場合であっても、ある程度の強度を持って弦Ｓが内部カバー２を貫通させることのないように、内部カバー２の内部へ閉じ込めておく必要があるため、内部カバー２に使用する材質については、適度な硬度と柔軟性を持った、ゴムなどの弾性体を使用することが良いと思われる。
【００３０】
外部カバー３を内部カバー２に固定するため、係止部Ｋが設けられている。前記係止部Ｋは、内部カバーの溝部分２ａに外部カバーの爪部分３ａが、篏合することで、外部カバー３を内部カバー２に固定できる。また、溝部分２ａと、それに対応する外部カバー３を内部カバー２に固定するための爪部分３ａのそれぞれを、内部カバー２と外部カバー３の略全周でも良いが、部分的でも良い。
【００３１】
外部カバー３を内部カバー２に固定するための爪部分３ａが、外部カバー３を内部カバー２に固定するための溝部分２ａに装着されることによって、外部カバー３と、内部カバー２の密着度を高めているが、装着するその範囲については、必ずしも、外部カバー３と内部カバー２の全周を囲んでいる必要はなく、外部カバー３の形状によっては、爪部分３ａが、溝部分２ａに対して、およそ４分の３程度の範囲で、部分的に装着されているのが好適である。しかし、必ずしも、４分の３に限定されるものではない。
【００３２】
前記係止部Ｋは、３通りある。第１は、内部カバーの溝部分２ａと外部カバーの爪部分３ａの組み合わせ、第２は、内部カバーの溝部分２ａと外部カバーの突出部分３ｄの組み合わせ、第３は、内部カバーの孔部分２ｆと、外部カバーの突出部分３ｄの組み合わせである。これらのうち、第１の場合が最も好適である。前記爪部分３ａとは、外部カバー３の下端に向けられた突条部分で、それは、全周のおよそ１０％以上から略全周にわたって設けられている。また、前記突出部分３ｄは、外部カバー３の下端に設けられた点状の突起部である。
【００３３】
内部カバーの溝部分２ａは、内部カバー２の全周のおよそ１０％以上が好適である。そして最大でもスリット部分ＳＬを除いて略全周が好適である。またその約４分の３程度が、最も好適である。また、外部カバーの突出部分３ｄは、少なくとも、１個以上必要であり、２個、３個、４個程度あればより好適である。また、外部カバーの爪部分３ａは、外部カバー３の全周のおよそ１０％以上が好適である。また最大でも、スリット部分ＳＬを除いて、外部カバー３の略全周が好適である。またその４分の３程度が最も好適である。前記内部カバーの溝部分２ａの長さは、外部カバーの爪部分３ａの長さと等しいか、またはそれよりも長いことが必要である。
【００３４】
より詳しく説明する。前記内部カバーの孔部分２ｆと、外部カバーの突出部分３ｄの組み合わせ篏合においては、前記孔部分２ｆと突出部分３ｄが少なくとも、１個以上必要であり、２個、３個、４個程度あればより好適である。
【００３５】
前記係止部Ｋにおいて、内部カバー２は溝部分２ａと孔部分２ｆの少なくともいずれかを有し、外部カバー３には爪部分３ａと突出部分３ｄのいずれかを有することが必要である。
【００３６】
前記係止部Ｋにおいて、内部カバー２の溝部分２ａに対して、外部カバーの爪部分３ａである組み合わせ篏合は、最も好適である。
【００３７】
前記係止部Ｋにおいて、内部カバー２の溝部分２ａに対して、外部カバーの突出部分３ｄである組み合わせ篏合は、好適である。
【００３８】
前記係止部Ｋにおいて、内部カバー２の孔部分２ｆに対して、外部カバーの爪部分３ａである組み合わせ篏合は、互いに篏合することができないため、不適である。
【００３９】
前記係止部Ｋにおいて、内部カバー２の孔部分２ｆに対して、外部カバーの突出部分３ｄである組み合わせ篏合は、好適である。
【００４０】
また、前記係止部Ｋの設置場所については、必ずしも最下端部にあることに限定されず、内部カバー２と外部カバー３の接合部の組み合わせによる嵌着に問題がなく、かつ演奏上支障のない場合には、上端部や中部に位置する構造であっても、その実施が可能だと思われる。  
【００４１】
図４は、本発明の内部カバー２における外形寸法の大小を示す説明図である。内部カバー２の上部の直径Ｌ１、中部の直径Ｌ２、下部の直径Ｌ３の大きさを示している。弦Ｓとキャップ１との密着度をより効果的に高めるためには、上部の直径Ｌ１と下部の直径Ｌ３に対して、中部の直径Ｌ２の寸法を小さくすることが良いと思われる。
【００４２】
図５は、本発明の内部カバー２に外部カバー３を嵌着させた状態を示す模式図である。（ａ）は、前記内部カバー２と外部カバー３の両方にテーパーＴＰを設けない場合を示す。それぞれを嵌着させたときに、内部カバー２の外壁部分２ｄと外部カバー３の内壁部分３Ｆとを密着させることで摩擦力Ｍが働き、前記係止部Ｋがなくても、また以下のテーパーＴＰがなくても、外部カバー３が外れることを防止できる。（ｂ）は外部カバー３のみが上端部から下端部にかけて狭くなる方向のテーパーＴＰである状態を示す。（ｃ）は内部カバー２のみが上端部から下端部にかけて狭くなる方向のテーパーＴＰである状態を示す。（ｄ）は外部カバー３と内部カバー２の両方が上端部から下端部にかけて狭くなる方向のテーパーＴＰである状態を示す。（ｅ）は外部カバー３と内部カバー２の両方が、上端部から下端部にかけて大きくなる方向のテーパーＴＰである状態を示す。（ｆ）は内部カバー２のみが上端部から下端部にかけて大きくなる方向のテーパーＴＰである状態を示す。ただし、以上に例示した以外であってもよいものとする。
【００４３】
図６は、本発明の実施の形態を示している。図６で示す断面図のように、糸巻き部４を締め付けることで生じる、内部カバー２の素材自体からの反発力としてのｆ１が生じ、内部カバー２の内部の隙間スペースである２ｂに格納されている弦Ｓによる反発であるｆ２に生じ、これに連れてｆ３が生じる。ｆ３として内部カバー２と外部カバー３の密接面Ｒに向かうが、やがて押し返される力をｆ４が生じ、最終的には、ｆ５として、糸巻き部に巻かれている弦Ｓへの密着力として帰ってくる。尚、それらは構造の概要として、力の動きを５つに区切った説明としたが、実際には、内部カバー２や外部カバー３の素材、弦の形状や素材、その格納状態等によって、力学上ではさらに細かな力の移動が存在しているはずだが、ここでは、あくまで本願発明の実施の形態における、考え方としての説明に止める。
内部に格納された弦Ｓを痛めずに反発を押さえ、かつ、弦Ｓを装着する際の内部カバー２の密着度を損なわないためにも、内部カバー２に使用する材質は、下記に示すような、適度な硬度と柔軟性を持った材質の使用が好ましい。
【００４４】
外部カバー３の材質については、内部カバー２を補強する目的を有した上で、演奏面を損なうことのない程度の重量であれば良く、外部カバー３の材質としては、硬質の合成樹脂が好適である。ＡＢＳ樹脂、アクリル樹脂、ポリカーボネート樹脂、ポリスチレン樹脂、ポリエチレン樹脂、ポリプロピレン樹脂等を例示できる。また、金属も好適である。アルミニウム、スチール、ステンレス、真鍮等を例示できる。木質材においては、堅木が好適である。ナラ材、黒檀、けやき、紫檀、チーク材等を例示できる。しかし、材質の種類については、これらに限定されるものではない。
【００４５】
当該実施例に於いては、内部カバー２の材質であるゴムの硬度について、ＪＩＳ  Ｋ  ６２５３に準拠した、タイプＡのデュロメーターによる測定値を用いた。
【００４６】
特に外部カバー３の上部、側面部に於いては、色合い、模様をはじめ、イラストなどの装飾を加えることで、従来にはなかったニーズを展開できると思われる。
【００４７】
図７は、実施の一例を示しているが、外部カバー３の形状について、弦楽器のヘッド部分における、糸巻き部４の配置場所によって、糸巻き部４と楽器本体に伸びる弦に対して、様々な角度になるため、必ずしも円形の補強カバーである必要はなく、該当する糸巻き部４の配置に合わせて展開すれば良い。
【００４８】
図８は、糸巻き部４によって巻かれた弦Ｓの先端部について、無処理の状態と、短く処理した状態における本発明品の装着方法を示しているが、どちらも同じ装着方法での実施が可能なため、一度ひとつの手順を覚えてしまえば、装着方法について迷わせることなく実行することができると思われる。
【００４９】
図９は、糸巻き部４と、糸巻き部４に巻かれた弦が、共に格納されている様子を示した断面図であるが、例えば、糸巻き部４の形状が円柱ではなく、角柱とする形状であっても、内部カバー２の素材が柔軟性を持っていることから、実施の手順や内部の構造を変えることなく対応できるものと思われる。
【００５０】
図１０は、キャップ１の装着された状態（ａ）と、されていない状態（ｂ）との比較について示しているが、（ａ）のように、キャップ１の装着された状態であっても、弦ＳがスリットＳＬを通り抜けることで、糸巻き部４の機能を十分に果たすものである。
【００５１】
図１１、および図１２は、円形形状の外部カバー３および、円形ではない形状で実施される外部カバー３の一例を示しているが、図１２に示すように、内部カバーの溝部分２ａへ固定する外部カバーの爪部分３ａを外部カバー３の略全周でも良いが、部分的な固定としても良い。その他、外部カバー３の突出部分である３ｄを、少なくとも１か所以上設けた構造でも良い。図１２の（ａ）は、外部カバーのＡ型の例を示す。（ｂ）は、外部カバーのＢ型の例を示す。（ｃ）は外部カバーＣ型の例を示す。（ｄ）は外部カバーＤ型の例を示す。実施に際しては、糸巻き部４の形状に合わせて、都度、最も安定する接合面を検討する必要性があると思われるが、Ａ型、およびＢ型のような形状においては、内部カバーの溝部分２ａの略全周に対して爪部分３ａが、外部カバー３の円弧部分３ｅの略全周に設けられている。Ｃ型の形状例においては、内部カバー２の外周の溝である２ａに対して、外部カバー３の内側に設けられた突出部分３ｄを２個備えているが、少なくとも１個以上必要であり、２個程度あればより好適である。前記外部カバー３の突出部分３ｄと、内部カバー２の孔２ｆは、数が一致するのが最適であるが、突出部分３ｄの数は、孔２ｆと等しいか、または少ない事が必要である。これらの組み合わせは、一対以上から４対程度が好適である。実施の形状によっては、Ｄ型のように、円形の内部カバー２の外周に設けられた孔２ｆと角形の外部カバー３の内側に設けられた突出部３ｄの組み合わせ篏合でも良い。またその場合、１カ所の固定、２カ所の固定、３カ所の固定、または４カ所の固定でも良い。いずれにしても、外部カバー３の突出部分３ｄの個数は、内部カバーの孔の個数と等しいか、または少ないことが必要である。
【００５２】
実施上の可能性として、外部カバー３の形状について、円形でないものを検討する際には、外部カバーのＤ型のように、スリット部分ＳＬを１つ以上設けることで、設置する糸巻き部４の設置場所が限定されにくい構造を提供できると考えられる。たとえば、ギターのヘッド部Ｈに左右縦列に配置される糸巻き部４に対して、左右兼用とすることができる。
【００５３】
糸巻き部４にて巻きつけられなかった、先端部の弦Ｓの余剰部分については、内部カバーの外壁２ｄと内壁２ｃとの間に設けられたスペース２ｂに格納することができるが、内部カバー２の外壁部分となる２ｄの外周に巻きつけた上で、外部カバー３を装着する等の使い方も考えられる。
【００５４】
以下、本願発明の実施例と比較例について詳しく述べる。
【００５５】
実施例１について述べる。
実施例１に於いては、市場に流通している、ごく一般的な形状の糸巻き部を備えたギターに対応したものとし、外部カバー３の頂上部を、半径１０ｍｍの円形とし、底辺から上部までの高さを１８ｍｍの形状とした。また、内部カバー２については、円筒の頂上部となる円の半径を、８ｍｍとし、中部分の最少となる半径を６．５ｍｍとし、底辺から、外部カバー３との接合部となる溝部分を含めた、上部までの高さを１８ｍｍとした。また、弦の通り抜けるスリット部ＳＬについては、幅４ｍｍ、高さを８ｍｍとした。各部の材質は、外部カバー３の素材を硬質の塩ビ樹脂によるものとし、内部カバー２の素材を硬度４５度の天然ゴムとした。また、内部カバー２の内壁部に内接する、ヒダとなる凸条体Ｕについては、周方向に沿って延在する凸状の山部と凹状の谷部とが、軸方向に交互に連続して形成された構造のものを採用した。
【００５６】
実施例２について述べる。
内部カバー２の材質を硬度４０度の天然ゴムとした。その他は、実施例１と同様にした。
【００５７】
実施例３について述べる。
内部カバー２の材質を硬度５０度の天然ゴムとした。その他は、実施例１と同様にした。
【００５８】
実施例４について述べる。
内部カバー２の材質を硬度４５度のウレタンゴムとした。その他は、実施例１と同様にした。
【００５９】
実施例５について述べる。
外部カバー３の材質を木質材（ナラ材）とした。その他は、実施例１と同様にした。
【００６０】
実施例６について述べる。
外部カバー３の材質を木質材（ナラ材）とし、内部カバー２の材質を硬度４５度のウレタンゴムとした。その他は、実施例１と同様にした。
【００６１】
実施例７について述べる。
外部カバー３の材質をアルミニウムとした。その他は、実施例１と同様にした。
【００６２】
実施例８について述べる。
外部カバー３の材質をアルミニウムとし、内部カバー２の材質を硬度４５度のウレタンゴムとした。その他は、実施例１と同様にした。
【００６３】
実施例９について述べる。
外部カバー３の材質を真鍮とした。その他は、実施例１と同様にした。
【００６４】
実施例１０について述べる。
外部カバー３の材質を真鍮とし、内部カバー２の材質を硬度４５度のウレタンゴムとした。その他は、実施例１と同様にした。
【００６５】
比較例１について述べる。
内部カバー２の材質をアクリル樹脂とした。その他は、実施例１と同様にした。
【００６６】
比較例２について述べる。
外部カバー３と内部カバー２の材質を真鍮とした。その他は、実施例１と同様にした。
【００６７】
比較例３について述べる。
外部カバー３と内部カバー２のいずれも装着しない状態とし、その他は、実施例１と同様にした。
【００６８】
以下に、本願発明のキャップ１の実施例と比較例について適正比較試験を行った。その結果を下記の表１まとめた。
【００６９】
【表１】
0005926325.tif 000002
【００７０】
以下に、前記の試験について、試験方法と、試験結果の評価と、その試験結果の考察について述べる。
（試験方法）
該内部カバー２、および該外部カバー３の装着による、弦Ｓおよび糸巻き部４への負担の少なさと耐久性を基に、加工の容易さや重量のバランスなどの実用性を考慮したものを総合評価とした。耐久性のテストとしては、内部カバー２については、糸巻き部４への脱着を各１００回繰り返すことによる、弦Ｓ、および糸巻き部４への負荷を、視覚的に判断した。外部カバー３については、ギターに装着した上で、装着面をコンクリートの壁面に向けて、３０センチメートル離した位置から立てかける動作を１００回繰り返した上での、外部カバー３に生じた傷を、視覚的に評価した。
（試験結果の評価）
５段階の相対評価とした。評価記号と、その意味については、以下の通りである。
◎    極めて良好    
○    良好
△    やや不良
×    不良
××  極めて不良
【００７１】
（試験結果の考察）
実施例１では、外部カバー３に塩ビ樹脂、内部カバー２に硬度４５度の天然ゴムを使用し、大変好ましい組み合わせであると評価した。内部カバー２に適度な硬度と柔軟性を持った天然ゴムを用いたことによって、弦や糸巻き部を傷つけることなく、適切に保護をすることが可能であった。外部カバーに使用した塩ビ樹脂は、適度に軽量であるため、楽器のバランスを大きく崩すことのない実施が可能であったほか、材質に対する加工の容易さも、高評価の一因とした。
【００７２】
実験例２では、内部カバー２に使用した天然ゴムの硬度を４０度を使用したほかは実施例１と同様である。使用感としても、実施例１と大差なく、好適であった。
【００７３】
実験例３では、内部カバー２に使用した天然ゴムの硬度を５０度を使用したほかは実施例１と同様である。使用感としても、実施例１と大差なく、好適であった。
【００７４】
実施例４では、外部カバー３に塩ビ樹脂、内部カバー２に硬度４５度のウレタンゴムを使用した。実施例１と同様に、大変好ましい組み合わせであると評価した。使用感としては、実施例１と同様に、好適であった。
【００７５】
実施例５においては、外部カバー３にナラ材、内部カバー２に天然ゴムを使用した。使用に際しては、木質材を用いたが、天候や湿気の影響をできる限り軽減する必要があるため、十分に乾燥し、表面にラッカー塗装を施したものを用いることによって、好適な素材と判断できた。外部カバー３の材質として、耐久性についての実験方法の結果としては、大きな損傷、傷は見られず、実施上、なんら問題はなかったが、相対的にその他の金属類、樹脂と比較した際に、硬度の面で順位をつける必要性を考慮したものである。
【００７６】
実施例６においては、内部カバー２にウレタンゴムを使用したが、その他は実施例５と同様であり、その使用感もまた、好適であった。
【００７７】
実施例７では、外部カバー３にアルミニウム、内部カバー２に天然ゴムを使用し、大変好ましい組み合わせであると評価した。
【００７８】
実施例８では、内部カバー２にウレタンゴムを使用したが、その他は、実施例７と同様であり、その使用感もまた、好適であった。
【００７９】
実施例９では、外部カバー３に真鍮、内部カバー２に天然ゴムを使用した。真鍮の硬度については申し分のないものであった。しかしながら、実用に際しては、特に楽器のボディ部が軽量の場合には、真鍮の重量によって、楽器全体のバランスを損なう印象があり、また、木材や樹脂と比較して、加工や形成について手間がかかる点は、留意する必要があると思われる。
【００８０】
実施例１０では、内部カバー２にウレタンゴムを使用したが、その他は、実施例９と同様であった。
【００８１】
次に比較例１として、外部カバー３を塩ビ樹脂、内部カバー２にアクリル樹脂を使用した。しかしながら、内部カバー２の材質としてのアクリル樹脂は、柔軟性がなく、弦Ｓや糸巻き部４への負担があり、実用に耐えうるものではなかった。
【００８２】
比較例２では、外部カバー３、内部カバー２共に、真鍮を使用した。しかしながら、重量による負担だけでなく、内部カバー２としての真鍮は、弦Ｓや糸巻き部４に対して、摩擦によって、表面を傷つける可能性が顕著であるため、実用に耐えうるものではなかった。
【００８３】
以上の実験例から、弦に直接触れる内部カバー２については、適度な弾性体であり、摩擦などの接触によって弦Ｓを痛めることの少なく、かつ巻き取られた弦Ｓが、容易に外部へ飛び出さないための最低限の強度を持っていることが求められ、外部カバー３については、内部カバー２を保護しうる強度を備えつつ、重量によって、楽器の重心バランスを大きく損なうことのない程度の重さであることが求められるものと思われる。また、内部カバー２に用いた、同じ硬度を持つ、天然ゴムとウレタンゴムによる使用感の違いは少なく、どちらの使用も同様に好適であると思われる。
【産業上の利用可能性】
【００８４】
本願発明のキャップを用いることで、弦の先端部による怪我の予防をすることができ、安全性を向上させることができる。従って産業上の利用可能性が大きい。
【符号の説明】
【００８５】
１      キャップ
Ｃ      天井板部
Ｇ      外壁部
２      内部カバー
２ａ    外部カバーを内部カバーに固定するための溝部分
２ｂ    内部カバーの外壁と内壁の間に設けられたスペース
２ｃ    糸巻き部収納スペース
２ｄ    内部カバーの外壁部分
２ｅ    内部カバーの内壁部分
２ｆ    内部カバーの孔部分
２ｔ    内部カバーの天井板部
Ｌ１    内部カバーの上部の直径
Ｌ２    内部カバーの中部の直径
Ｌ３    内部カバーの下部の直径
３      外部カバー
３ａ    外部カバーを内部カバーに固定するための爪部分
３ｂ    外部カバーの外壁部分
３ｃ    外部カバーと内部カバーの間のスペース
３ｄ    外部カバーを内部カバーに固定するための突出部分
３ｅ    外部カバーの円弧部分
３ｔ    外部カバーの天井板部
４      糸巻き部
ｆ１    力の流れ１
ｆ２    力の流れ２
ｆ３    力の流れ３
ｆ４    力の流れ４
ｆ５    力の流れ５
Ｈ      ヘッド部分
Ｓ      弦
Ｔ      糸巻き部に空いた、弦が通る穴
Ｐ      ペグ
Ｎ      ナット
Ｗ      ワッシャ
ＳＬ    スリット
Ｊ      脱着手段
Ｕ      凸条体
Ｋ      一対の係止部
ＴＰ    テーパー
Ｍ      摩擦力
ＳＲ    弦の通り道
Ｒ      密接面
【図１】
0005926325.tif 000003
【図２】
0005926325.tif 000004
【図３】
0005926325.tif 000005
【図４】
0005926325.tif 000006
【図５】
0005926325.tif 000007
【図６】
0005926325.tif 000008
【図７】
0005926325.tif 000009
【図８】
0005926325.tif 000010
【図９】
0005926325.tif 000011
【図１０】
0005926325.tif 000012
【図１１】
0005926325.tif 000013
【図１２】
0005926325.tif 000014
【図１３】
0005926325.tif 000015